(57)【要約】【課題】フロントカメラを簡単な構成で確実に取り付けることができるフロントカメラの取付構造を提供すること。【解決手段】車両のバンパにライセンスプレートカバー１を介して取り付けられるライセンスプレートの下方にフロントカメラ４を垂下状態で取り付ける取付構造として、前記ライセンスプレートカバー１の裏面にカメラ取付孔２を形成し、前記フロントカメラ４を保持するブラケット３から上方に延びる左右一対の係合爪５を前記カメラ取付孔２に係合させて該ブラケット３をフロントカメラ４と共に前記ライセンスプレートカバー１に取り付けるとともに、前記ライセンスプレートカバー１に取り付けられた前記ブラケット３の係合爪５間に固定部材８を挿入係合させて係合爪５の係合解除方向の動きを阻止する構成を採用する。【選択図】図８
2011201380.tif 000002
【特許請求の範囲】
【請求項１】
車両のバンパにライセンスプレートカバーを介して取り付けられるライセンスプレートの下方にフロントカメラを垂下状態で取り付ける取付構造であって、
前記ライセンスプレートカバーの裏面にカメラ取付孔を形成し、
前記フロントカメラを保持するブラケットから上方に延びる左右一対の係合爪を前記カメラ取付孔に係合させて該ブラケットをフロントカメラと共に前記ライセンスプレートカバーに取り付けるとともに、
前記ライセンスプレートカバーに取り付けられた前記ブラケットの係合爪間に固定部材を挿入係合させて係合爪の係合解除方向の動きを阻止するようにしたことを特徴とするフロントカメラの取付構造。
【請求項２】
前記ブラケットの各係合爪に、前記固定部材に係合して該固定部材の前記カメラ取付孔からの抜けを防止する第２の係合部を形成したことを特徴とする請求項１記載のフロントカメラの取付構造。
【請求項３】
前記カメラ取付孔の内面に角度の異なる第１取付面と第２取付面を形成し、該第１取付面又は第２取付面に当接する楔状部を前記固定部材に形成し、前記ライセンスプレートカバーの前記バンパへの取付角度に応じて前記固定部材の表裏を変更することによって該固定部材によって前記ブラケットの係合爪を前記カメラ取付孔の第１取付面又は第２取付面に押し付けて固定することを特徴とする請求項１又は２記載のフロントカメラの取付構造。
【発明の詳細な説明】
【技術分野】
【０００１】
本発明は、車両のライセンスプレートの下方に垂下状態で取り付けられるフロントカメラの取付構造に関するものである。
【背景技術】
【０００２】
車両の左右方向の確認の補助や見通しの悪い交差点やＴ字路等における安全確認の補助等のためにフロントカメラを車両前部に取り付け、このフロントカメラによって撮像された画像を車室内のナビゲーション等のモニター装置に表示することが行われている。
【０００３】
ところで、フロントカメラを車両前部に取り付けるには、その取り付けに対応したグリルの開発やグリルの加工が必要となっていた。
【０００４】
しかしながら、フロントカメラに対応したグリルは各車両に専用の部品であるために高価となっていた。そして、グリルの加工には超音波カッター等を用いる必要があり、フロントカメラの取り付けには多くの取付工数を要するという問題もあった。
【０００５】
又、フロントカメラの取り付けるための部品の多くは専用品であり、異なる車種について部品を共通化することは困難であった。
【０００６】
更に、フロントカメラをバンパに取り付ける構造を採用する場合、バンパの取付面が傾いていると、フロントカメラが斜め上を向く状態で固定されるために車室内にモニター装置に表示される画像が傾き、ドライバには違和感のある分かりにくいものとなるという問題があった。
【０００７】
そこで、特許文献１には、専用のブラケットによってカメラを保持し、このブラケットをライセンスプレートカバー（ライセンスプレート用フレーム）に取り付ける構成が提案されている。
【０００８】
又、特許文献２には、専用のベースブラケットをライセンスプレートとの共締めによってバンパに取り付け、カメラを保持するカメラブラケットを前記ベースブラケットに位置調整可能に取り付ける構成が提案されている。
【０００９】
更に、特許文献３には、専用の取付ブラケットをライランスプレートの端部の凹凸部を挟持することによってライランスプレートに取り付け、カメラを保持するカメラブラケットを前記ベースブラケットに位置調整可能に取り付ける構成が提案されている。
【先行技術文献】
【特許文献】
【００１０】
【特許文献１】特開２００９−０９６３０４号公報
【特許文献２】特開２００８−０５６０１２号公報
【特許文献３】特開２００８−１７４０７２号公報
【発明の概要】
【発明が解決しようとする課題】
【００１１】
しかしながら、特許文献１〜３に記載されたカメラの取付構造においては、ベースブラケットやカメラブラケットの取り付けをネジの締め付けによって行っているためにカメラの取り付けが容易でなく、多くの工数を要するという問題がある。又、ネジを緩めればカメラブラケットを容易に取り外すことができるために盗難やいたずらを受け易く、ライセンスプレートのバンパへの取り付け角度が異なる車種に対応することができないという問題がある。
【００１２】
本発明は上記問題に鑑みてなされたもので、その目的とする処は、フロントカメラを簡単な構成でワンタッチで簡単且つ確実に取り付けることができるとともに、盗難やいたずらを受けにくいフロントカメラの取付構造を提供することにある。
【課題を解決するための手段】
【００１３】
上記目的を達成するため、請求項１記載の発明は、車両のバンパにライセンスプレートカバーを介して取り付けられるライセンスプレートの下方にフロントカメラを垂下状態で取り付ける取付構造であって、
前記ライセンスプレートカバーの裏面にカメラ取付孔を形成し、
前記フロントカメラを保持するブラケットから上方に延びる左右一対の係合爪を前記カメラ取付孔に係合させて該ブラケットをフロントカメラと共に前記ライセンスプレートカバーに取り付けるとともに、
前記ライセンスプレートカバーに取り付けられた前記ブラケットの係合爪間に固定部材を挿入係合させて係合爪の係合解除方向の動きを阻止するようにしたことを特徴とする。
【００１４】
請求項２記載の発明は、請求項１記載の発明において、前記ブラケットの各係合爪に、前記固定部材に係合して該固定部材の前記カメラ取付孔からの抜けを防止する第２の係合部を形成したことを特徴とする。
【００１５】
請求項３記載の発明は、請求項１又は２記載の発明において、前記カメラ取付孔の内面に角度の異なる第１取付面と第２取付面を形成し、該第１取付面又は第２取付面に当接する楔状部を前記固定部材に形成し、前記ライセンスプレートカバーの前記バンパへの取付角度に応じて前記固定部材の表裏を変更することによって該固定部材によって前記ブラケットの係合爪を前記カメラ取付孔の第１取付面又は第２取付面に押し付けて固定することを特徴とする。
【発明の効果】
【００１６】
請求項１記載の発明によれば、フロントカメラを保持するブラケットから上方に延びる左右一対の係合爪をライセンスプレートカバーの裏面に形成されたカメラ取付孔に係合させるだけの簡単な作業によって、フロントカメラをライセンスプレートカバーにワンタッチで簡単に取り付けることができる。そして、ライセンスプレートカバーにフロントカメラと共に取り付けられたブラケットの係合爪間に固定部材を挿入係合させて係合爪の係合解除方向の動きを阻止すれば、ブラケット及びフロントカメラのライセンスプレートカバーへの固定がロックされるため、フロントカメラがライセンスプレートカバーに確実に固定されてその脱落が防がれる。
【００１７】
又、ブラケット及びフロントカメラの取付箇所がライセンスプレートカバーの裏側の人目につかない箇所であるとともに、これらのブラケット及びフロントカメラの固定にはネジ等の締着具が使用されていないため、これらを容易に取り外すことができず、盗難やいたずらを受けにくい取付構造となっている。
【００１８】
請求項２記載の発明によれば、ブラケットの各係合爪に形成された第２の係合部が固定部材に係合することによって該固定部材のブラケットからの抜けが防がれるため、ブラケットとフロントカメラのライセンスプレートカバーへの取り付けが一層確実になされ、それらの脱落が確実に防がれる。
【００１９】
請求項３記載の発明によれば、ライセンスプレートカバー（ライセンスプレート）の取付角度の違いに対しては固定部材の表裏を変更することによって容易に対処することができ、フロントカメラによって撮像されて車室内のモニター装置に表示される画像がドライバに違和感を与えることがなく、常に良好な画像を表示することができる。
【図面の簡単な説明】
【００２０】
【図１】ライセンスプレートカバーの正面図である。
【図２】ライセンスプレートカバーの背面図である。
【図３】図２のＡ−Ａ線断面図である。
【図４】（ａ）はブラケットの正面図、（ｂ）はブラケットの側面図、（ｃ）はブラケットの背面図である。
【図５】固定部材の斜視図である。
【図６】（ａ）はフロントカメラのライセンスプレートカバーへの取付要領を示す正面図、（ｂ）は同背面図である。
【図７】ライセンスプレートカバーに取り付けられたフロントカメラの固定部材による固定ロック要領を示す背面図である。
【図８】フロントカメラのライセンスプレートカバーへの固定ロック状態を示す背面図である。
【図９】（ａ）はバンパの取付面が垂直面である場合のフロントカメラの取付要領を示す側面図、（ｂ）はフロントカメラの取付部の正面図である。
【図１０】（ａ）はバンパの取付面が傾斜面である場合のフロントカメラの取付要領を示す側面図、（ｂ）はフロントカメラの取付部の正面図である。
【発明を実施するための形態】
【００２１】
以下に本発明の実施の形態を添付図面に基づいて説明する。
【００２２】
図１はライセンスプレートカバーの正面図、図２は同ライセンスプレートカバーの背面図、図３は図２のＡ−Ａ線断面図、図４はブラケットを示す図であって、（ａ）は正面図、（ｂ）は側面図、（ｃ）は背面図、図５は固定部材の斜視図、図６（ａ）はフロントカメラのライセンスプレートカバーへの取付要領を示す正面図、図６（ｂ）は同背面図、図７はライセンスプレートカバーに取り付けられたフロントカメラの固定部材による固定ロック要領を示す背面図、図８はフロントカメラのライセンスプレートカバーへの固定ロック状態を示す背面図である。
【００２３】
図１及び図２に示すライセンスプレートカバー１は、矩形の板金製プレートであって、その中央部には不図示のライセンスプレートを嵌め込むための矩形の凹部１ａが形成され、この凹部１ａの周囲によってライセンスプレートの周囲が縁取られる。そして、このライセンスプレートカバー１には大小の複数の矩形孔１ｂ，１ｃ，１ｄが形成され、上部の左右にはライセンスプレートを取り付けるための不図示のボルトが挿通するための上下方向に長い長孔１ｅが形成されている。又、ライセンスプレートカバー１の左右には、当該ライセンスプレートカバー１を後述のバンパ１０（図９及び図１０参照）に取り付けるための不図示のボルトが挿通するための円孔１ｆが形成されている。
【００２４】
更に、ライセンスプレートカバー１の裏面下部の幅方向中央には、図２及び図３に示すように、上下に貫通する矩形枠状のカメラ取付孔２が形成されている。ここで、図３に示すように、カメラ取付孔２の車両前後方向の内面には角度の異なる第１取付面２ａと第２取付面２ｂが形成されている。詳細には、第１取付面２ａは、ライセンスプレートカバー１のライセンスプレートが取り付けられる面と略平行な面となっている。第２取付面２ｂは、後述するバンパ１０のライセンスプレートカバー１を取り付ける取付面１０ｂの傾斜角度と同等の傾斜角度を有する面となっている。つまり、カメラ取付孔２は、取付面１０ｂの傾斜角度（鉛直に対する傾斜角度）と同等の挟角となる第１取付面２ａと第２取付面２ｂを有し、上側の開口が広くなるように形成されている。尚、第１取付面２ａと第２取付面２ｂを接続するカメラ取付孔２の左右の面は垂直面に形成されている。
【００２５】
而して、後述のようにライセンスプレートカバー１の裏面下部に形成されたカメラ取付孔２には図４に示すブラケット３が取り付けられるが、このブラケット３は、両側壁が斜めにカットされた矩形ボックス状の樹脂成形品であって、その内部にフロントカメラ４が収納保持される。
【００２６】
ブラケット３の上部からは平行な左右一対の係合爪５が車両後方（図４（ｂ）の右方）に向かって斜め上方に一体に立設されており、これらの係合爪５の先端の各外側には第１の係合部５ａが形成され、先端の相対向する各内側には第２の係合部５ｂがそれぞれ形成されている。ここで、斜め上方と表現した係合爪５が延びる方向は、後述するバンパ１０のライセンスプレートカバー１を取り付ける取付面１０ｂの傾斜角度と同等の傾斜角度であって、車両の後上方に向かって延びている。又、ブラケット３の後壁の中央部には円孔３ａが形成され、その周囲には４つの円孔状のビス挿通孔３ｂが形成されている。
【００２７】
前記フロントカメラ４は略矩形ブロック状に成形されており、その前端部は四角錐状に尖っており、この尖った左右の面には矩形窓４ａがそれぞれ形成され、内部に設置された不図示のＣＣＤ等の撮像素子によって車両前方の左右の画像が矩形窓４ａからそれぞれ撮像される。このフロントカメラ４は、その一部がブラケット３の内部に嵌め込まれて収容され、ブラケット３の後壁に形成された４つのビス挿通孔３ｂにそれぞれ挿通するビス６をフロントカメラ４の後端にねじ込むことによって該フロントカメラ４がブラケット３に取り付けられる。尚、図７及び図８に示すように、フロントカメラ４の後端から延びる電源コード７はブラケット３の後壁に形成された円孔３ａを通過して車両後方へと延びている。
【００２８】
ところで、後述のようにブラケット３とこれに保持されたフロントトカメラ４がライセンスプレートカバー１に取り付けられると、ブラケット３に立設された左右一対の係合爪５の間に図５に示す固定部材８が上方から挿入されて係合されることによってブラケット３とフロントカメラ４のライセンスプレートカバー１への固定がロックされるが、ここで、固定部材８の構成を図５に基づいて説明する。
【００２９】
固定部材８は、カメラ取付孔２に挿入され、ブラケット３の左右一対の係合爪５の間に挿入されて係合爪５に係合される矩形ブロック状の係合部８Ａと、該係合部８Ａに一体に形成され係合爪５とカメラ取付孔２の第１取付面２ａ又は第２取付面２ｂとの間に挿入配置される三角柱状の楔状部８Ｂを備えており、係合部８Ａの上面からは把手８Ｃが一体に立設され、この把手８Ｃの中央には円孔８ａが形成されている。
【００３０】
次に、フロントカメラ４のライセンスプレートカバー１への取付要領を図６〜図８に基づいて説明する。
【００３１】
フロントカメラ４は前述の要領でブラケット３に予め取付保持されており、このフロントカメラ４を保持するブラケット３は、その上部に立設された左右一対の係合爪５を互いに接近する方向に押圧して両者の間隔を狭めた状態で、図６に示すように、該係合爪５をライセンスプレートカバー１の裏面に形成されたカメラ取付孔２へ下方から通す。すると、係合爪５の先端部がカメラ取付孔２を通過した時点で該係合爪５が弾性復元力によって広がって元の状態に復帰するため、図７に示すように係合爪５の先端の第１係合部５ａがカメラ取付孔２の上端の左右の角部に係合し、これによってブラケット３とフロントカメラ４がライセンスプレートカバー１の裏面の幅方向中央に取り付けられる。
【００３２】
上述のようにブラケット３とフロントカメラ４がライセンスプレートカバー１に取り付けられると、図７に示すように固定部材８をカメラ取付孔２内に配置されたブラケット３の左右の係合爪５の間に上方から差し込む。すると、固定部材８の係合部８Ａがブラケット３の係合爪５の間に嵌合し、該固定部材８を図８に示すように係合爪５の間に嵌め込むと、該固定部材８の係合部８Ａの上端左右の角部にブラケット３の係合爪５の先端の各内側に形成された第２の係合部５ｂが係合するため、固定部材８のブラケット３からの抜けが防がれるとともに、ブラケット３の左右の係合爪５の係合解除方向の動き（左右一対の係合爪５が互いに接近する方向の動き）が固定部材８によって阻止されるため、ブラケット３とこれに保持されたフロントカメラ４のライセンスプレートカバー１への固定がロックされ、これらのライセンスプレートカバー１からの脱落が確実に防がれる。
【００３３】
ところで、図９及び図１０に示すように、ライセンスプレートカバー１（ライセンスプレート）が取り付けられるバンパ１０の取付面１０ａ，１０ｂは車種によって異なる。即ち、図９に示すバンパ１０の取付面１０ａは垂直面を成し、図１０に示すバンパ１０の取付面１０ｂは上部ほど車両の後方となる傾斜面を成しているが、本発明に係る取付構造によれば固定部材８の表裏を変更することによって図９及び図１０に示すような取付面１０ａ，１０ｂの角度の違いに対処することができる。
【００３４】
即ち、図９に示すようなバンパ１０の垂直な取付面１０ａに取り付けられるライセンスプレートカバー１に対しては、ブラケット３をその係合爪５がカメラ取付孔２の第２の取付面２ｂに沿うようにして取り付け、固定部材８の楔状部８Ｂの斜面がカメラ取付孔２の第１の取付面２ａに沿うようにして該固定部材８をブラケット３の係合爪５間に挿入係合すれば、ブラケット３の係合爪５をカメラ取付孔２の第２の取付面２ｂに押圧した状態で、フロントカメラ４を略水平に保ってライセンスプレートカバー１に取り付けることができる。つまり、他のバンパ１０の取付面１０ｂの角度と同等な方向に延びるブラケット３の係合爪５を、他のバンパ１０の取付面１０ｂの角度と同等な角度に形成されているカメラ取付孔２の第２の取付面２ｂに沿うように固定部材８の楔状部８Ｂの斜面にて第２の取付面２ｂに押圧した状態で固定するため、フロントカメラ４を略水平に保ってこれをライセンスプレートカバー１に取り付けることができる。
【００３５】
他方、図１０に示すようなバンパ１０の傾斜した取付面１０ｂに取り付けられるライセンスプレートカバー１に対しては、ブラケット３をその係合爪５がカメラ取付孔２の第１の取付面２ａに沿うようにして取り付け、固定部材８を裏返してその楔状部８Ｂの斜面がブラケット３の係合爪５に沿うようにして該固定部材８をブラケット３の係合爪５間に挿入係合すれば、ブラケット３の係合爪５をカメラ取付孔２の第１の取付面２ａに押圧した状態で、フロントカメラ４を略水平に保ってライセンスプレートカバー１に取り付けることができる。つまり、バンパ１０の取付面１０ｂの角度と同等な方向に延びるブラケット３の係合爪５を、ライセンスプレートカバー１の取付面（バンパ１０への取付面）と略平行な角度に形成されているカメラ取付孔２の第１の取付面２ａに沿うように固定部材８の楔状部８Ｂの斜面にて第１の取付面２ａに押圧した状態で固定するため、フロントカメラ４を略水平に保ってライセンスプレートカバー１に取り付けることができる。
【００３６】
以上のように、本発明によれば、フロントカメラ４を保持するブラケット３から上方に延びる左右一対の係合爪５をライセンスプレートカバー１の裏面に形成されたカメラ取付孔２に係合させるだけの簡単な作業によって、フロントカメラ４をライセンスプレートカバー１にワンタッチで簡単に取り付けることができる。そして、ライセンスプレートカバー１にフロントカメラ４と共に取り付けられたブラケット３の係合爪５間に固定部材８を挿入係合させて係合爪５の係合解除方向の動きを阻止すれば、ブラケット３及びフロントカメラ４のライセンスプレートカバー１への固定がロックされるため、フロントカメラ４がライセンスプレートカバー１に確実に固定されてその脱落が防がれる。又、ブラケット３の各係合爪５に形成された第２の係合部５ｂが固定部材８に係合することによって該固定部材８のブラケット３からの抜けが防がれるため、ブラケット３とフロントカメラ４のライセンスプレートカバー１への取り付けが一層確実になされ、それらの脱落が確実に防がれる。
【００３７】
又、ブラケット３及びフロントカメラ４の取付箇所がライセンスプレートカバー１の裏側の人目につかない箇所であるとともに、これらのブラケット３及びフロントカメラ４の固定にはネジ等の締着具が使用されないため、これらを容易に取り外すことができず、盗難やいたずらを受けにくい取付構造を実現することができる。
【００３８】
更に、本発明によれば、ライセンスプレートカバー１（ライセンスプレート）の取付角度の違いに対しては固定部材８の表裏を変更することによって容易に対処することができ、フロントカメラ４を常に略水平に保持することができるため、該フロントカメラ４によって撮像されて車室内のモニター装置に表示される画像がドライバに違和感を与えることがなく、常に良好な画像を表示することができる。
【００３９】
尚、上記実施の形態では、ライセンスプレートカバー（ライセンスプレート）１の取付角度の異なる例として、垂直な取付面１０ａを有するバンパ１０と傾斜した取付面１０ｂを有するバンパ１０の例を示したが、これに限定されるものでなく、係合爪５、カメラ取付孔２の第１の取付面２ａ及び取付面２ｂの角度をバンパ１０の取付面１０ｂの傾斜角度に合わせて適宜選択し、角度の異なる傾斜した取付面１０ｂを有するバンパ１０に適応させることができる。
【符号の説明】
【００４０】
１          ライセンスプレートカバー
１ａ        ライセンスプレートカバーの凹部
１ｂ〜１ｄ  ライセンスプレートカバーの矩形孔
１ｅ        ライセンスプレートカバーの長孔
１ｆ        ライセンスプレートカバーの円孔
２          カメラ取付孔
２ａ        カメラ取付孔の第１の取付面
２ｂ        カメラ取付孔の第２の取付面
３          ブラケット
３ａ        ブラケットの円孔
３ｂ        ブラケットのビス挿通孔
４          フロントカメラ
４ａ        フロントカメラの矩形窓
５          ブラケットの係合爪
５ａ        係合爪の第１の係合部
５ｂ        係合爪の第２の係合部
６          ビス
７          電源コード
８          固定部材
８Ａ        固定部材の係合部
８Ｂ        固定部材の楔状部
８Ｃ        固定部材の把手
８ａ        固定部材の円孔
１０        バンパ
１０ａ      バンパの垂直の取付面
１０ｂ      バンパの傾斜した取付面
【図１】
2011201380.tif 000003
【図２】
2011201380.tif 000004
【図３】
2011201380.tif 000005
【図４】
2011201380.tif 000006
【図５】
2011201380.tif 000007
【図６】
2011201380.tif 000008
【図７】
2011201380.tif 000009
【図８】
2011201380.tif 000010
【図９】
2011201380.tif 000011
【図１０】
2011201380.tif 000012